(57)【特許請求の範囲】
【請求項１】
内容物を収容する容器本体と、該容器本体の口部開口を覆う隔壁と、該隔壁に設けた内容物の流出口を閉鎖、開放する逆止弁と、該隔壁及び該逆止弁を内側に収めて該容器本体の口部周壁に保持されるとともに内容物を外界に向けて注出する注出筒を有する注出キャップとを備える注出容器であって、
前記注出キャップは、前記注出筒の内面に一体連結され破断予定溝に沿う引きちぎりによって前記流出口と該注出筒とを連通させる密閉壁を備え、
該密閉壁は、前記逆止弁に当接して該流出口を閉鎖する押さえ部を有し、
前記逆止弁は、前記隔壁と前記注出キャップとの間で保持される環状壁と、該環状壁の内面に連結片を介して一体連結され前記流出口を覆う弁体とを備え、
前記押さえ部は、前記弁体が前記隔壁に支持されていない領域で該弁体に弾性的に当接する弾性片である注出容器。
【請求項２】
前記弾性片は、前記弁体の中心軸を中心として複数設けられている請求項１に記載の注出容器。
【発明の詳細な説明】
【技術分野】
【０００１】
本発明は、内容物を収容する容器本体に注出キャップを装着した注出容器につき、特に、内容物の逆止弁を備える注出容器に関するものである。
【背景技術】
【０００２】
化粧水などの化粧料や、シャンプーやリンス或いは液体石鹸、また食品調味料や薬品などを収容する注出容器としては、容器本体に装着される注出キャップの内側に、容器本体内につながる注出口を閉鎖する一方、容器本体を傾けたり押圧したりすることでこの注出口を開放して内容物の注出を可能とする逆止弁を設けたものがある（例えば特許文献１参照）。
【０００３】
ところで特許文献１においては、未使用時における容器本体の密封性を確実に確保するべく、シール片で容器の口部を覆った上で注出キャップを装着している。このため使用開始時においては、シール片を剥ぎ取るために注出キャップを容器本体の口部から取り外す必要がある。
【０００４】
未使用時での容器本体の密封性を確保しつつ、使用開始時においても注出キャップを取り外す必要がないものとしては、例えば特許文献２に記載されるような、プルリングの引き起こしによって、注出筒の内側に設けた密閉壁を除去することで内容物の開口を形成する抜栓式キャップが知られている。このため、シール片の替わりに特許文献２の密閉壁を適用すれば、注出キャップを取り外す手間を省くことが可能になる。
【先行技術文献】
【特許文献】
【０００５】
【特許文献１】特開２００３−１２０１１号公報
【特許文献１】特開２０１０−１０５７３２号公報
【発明の概要】
【発明が解決しようとする課題】
【０００６】
しかし、特許文献１の注出容器に特許文献２の密閉壁を適用する場合には、周囲の温度変化や容器本体への押圧、転倒等によって容器本体の内圧が高まると、内容物が逆止弁を越えて流出し、その内容物が逆止弁と密閉壁との間に溜まってしまう可能性がある。この場合、密閉壁を除去すると、溜まった内容物が周囲に飛散してしまう恐れがある。このため、このような内容物の飛散を確実に防止することが望まれていた。
【０００７】
本発明は、このような問題点を解決することを課題とするものであり、その目的は、密閉壁を除去する際に内容物の飛散を確実に防止することができる、新規の注出容器を提案するところにある。
【課題を解決するための手段】
【０００８】
本発明は、内容物を収容する容器本体と、該容器本体の口部開口を覆う隔壁と、該隔壁に設けた内容物の流出口を閉鎖、開放する逆止弁と、該隔壁及び該逆止弁を内側に収めて該容器本体の口部周壁に保持されるとともに内容物を外界に向けて注出する注出筒を有する注出キャップとを備える注出容器であって、
前記注出キャップは、前記注出筒の内面に一体連結され破断予定溝に沿う引きちぎりによって前記流出口と該注出筒とを連通させる密閉壁を備え、
該密閉壁は、前記逆止弁に当接して該流出口を閉鎖する押さえ部を有する注出容器である。
【０００９】
前記逆止弁は、前記隔壁と前記注出キャップとの間で保持される環状壁と、該環状壁の内面に連結片を介して一体連結され前記流出口を覆う弁体とを備え、
前記押さえ部は、該弁体に弾性的に当接する弾性片であることが好ましい。
【００１０】
前記弾性片は、前記弁体の中心軸を中心として複数設けられていることが好ましい。
【００１１】
前記隔壁は、前記容器本体の内側に向けて伸延して先端に前記流出口を備える筒状部を有し、前記逆止弁は、該筒状部内を移動可能な移動弁体であり、前記押さえ部は、該筒状部の伸延する向きに沿って延在する棒状部であることが好ましい。
【００１２】
前記筒状部は、該筒状部の伸延する向きに沿って延在して前記移動弁体を案内する縦リブを有し、該縦リブは、該移動弁体の前記注出筒側への抜け出しを阻止する突起を有することが好ましい。
【発明の効果】
【００１３】
本発明では、注出キャップに設けた密閉壁に、逆止弁に当接して該流出口を閉鎖する押さえ部を設けているので、周囲の温度変化や容器本体への押圧によって容器本体の内圧が高まっても、流出口は閉鎖したままで維持される。このため、密閉壁を除去しても内容物が飛散することがなくなる。
【００１４】
逆止弁を、隔壁と注出キャップとの間で保持される環状壁と、環状壁の内面に連結片を介して一体連結され前記流出口を覆う弁体とを備えるものとし、押さえ部を、弁体に弾性的に当接する弾性片とする場合は、流出口をより確実に閉鎖することができ、また、弾性片で弁体を変形させることがなくなる。
【００１５】
弾性片を、弁体の中心軸を中心として複数設ける場合は、弾性片が弁体に対して均等に当接することになるので、流出口の閉鎖が一層確実なものとなる。
【００１６】
隔壁に、容器本体の内側に向けて伸延して先端に流出口を備える筒状部を設け、逆止弁を、筒状部内を移動可能な移動弁体とし、押さえ部を、筒状部の伸延する向きに沿って延在する棒状部とする場合は、移動弁体に当接する棒状部によって移動弁体を不動状態で維持することができるので、流出口を確実に閉鎖することができる。
【００１７】
筒状部に、この筒状部の伸延する向きに沿って延在して移動弁体を案内する縦リブを設け、この縦リブに、移動弁体の注出筒側への抜け出しを阻止する突起を設ける場合は、移動弁体のスムーズな移動が確保されるとともに、容器本体を傾倒姿勢に変位させても移動弁体が抜け落ちてしまうことがない。
【図面の簡単な説明】
【００１８】
【図１】本発明に従う注出容器の一実施形態を示す、側面視での断面図である。
【図２】図１に示すＸ−Ｘに沿う断面図である。
【図３】図１に示す注出容器から密閉壁を引きちぎった後、容器本体を傾倒姿勢に変位させて内容物を注出する状況を示す断面図である。
【図４】本発明に従う注出容器の他の実施形態を示す、側面視での断面図である。
【図５】図４に示す注出容器から密閉壁を引きちぎった後、容器本体を傾倒姿勢に変位させて内容物を注出する状況を示す断面図である。
【発明を実施するための形態】
【００１９】
以下、図面を参照して、本発明をより具体的に説明する。なお、本明細書、特許請求の範囲、及び要約書において、「上」とは、容器本体を水平面上に載置した姿勢（正立姿勢）において、容器本体の底部に対して口部開口が位置する側であり、「下」とは、その反対側である。
【００２０】
図１における符号１００は、本発明に従う注出容器の一実施形態を示している。注出容器１００は、容器本体１を備えている。本実施形態の容器本体１は、容器本体１の外殻を形成する外層体２と、外層体２の内側に設けられる内層体３とを備えている。
【００２１】
外層体２は、図示を省略する底部、及びこの底部に連結する胴部を備えている。また外層体２は、胴部に連結するとともに上方に向けて縮径する肩部２ａと、肩部２ａに連結する円筒状の口部周壁２ｂを備えている。口部周壁２ｂは、上方に向けて開口する口部開口２ｃを備えていて、その外面には、径方向外側に向けて突出する凸部２ｄが設けられている。外層体２は合成樹脂製であって、胴部は可撓性を有し復元自在となっている。なお図示は省略するが、外層体２の底部には、内層体３との相互間に外気を導入する外気導入孔が設けられている。
【００２２】
内層体３は、その内側に内容物Ｎを収容する収容空間Ｓを備えている。内層体３は薄肉の合成樹脂製であって、減容変形自在となっている。
【００２３】
本実施形態における外層体２及び内層体３は、相互に相溶性が低い合成樹脂を剥離可能に積層させたものである。このような外層体２及び内層体３は、外層体２の合成樹脂素材と内層体３の合成樹脂素材とが積層されたパリソンを、ブロー成形することによって得ることができる。他にも、外層体２の合成樹脂素材と内層体３の合成樹脂素材とを積層させた試験管状のプリフォームを準備し、このプリフォームを２軸延伸ブロー成形して形成してもよい。また、外層体及び内層体を個別に形成し、その後、内層体を外層体内に装着してもよい。
【００２４】
符号４は、口部開口２ｃを覆う隔壁を示す。隔壁４は、その中央部を貫通する内容物の流出口４ａと、流出口４ａの径方向外側において上方に向けて開放する下部溝部４ｂとを備えている。また下部溝部４ｂの径方向外側に設けられる周壁４ｃは、外層体２との間で内層体３を挟み込んで、これらの間からの内容物Ｎの漏れ出しを阻止している。また隔壁４の外縁部には、上方に向けて延在する外側周壁４ｄが設けられている。
【００２５】
符号５は、流出口４ａを閉鎖、開放する内容物の逆止弁を示す。逆止弁５は、円筒状になる環状壁５ａと、環状壁５ａの内面に一体連結する連結片５ｂと、流出口４ａを覆うとともに連結片５ｂに一体連結する円板状の弁体５ｃとを備えている。本実施形態の逆止弁５は、環状壁５ａと弁体５ｃとを、径方向に直線的に延在する１つの連結片５ｂを介してつないだ、いわゆる一点弁の形態をなしている。なお、連結片５ｂは複数であってもよく、また、環状壁５ａと弁体５ｃとの隙間において周方向に延在するものであってもよい。
【００２６】
符号６は、隔壁４と逆止弁５とを内側に収めて容器本体１（外層体２）に保持される注出キャップを示す。注出キャップ６は、外層体２の口部周壁２ｂを取り囲む円筒状の外周壁６ａと、外周壁６ａの上端から径方向内側に向けて延在する天壁６ｂとを備えている。外周壁６ａの内面には、口部周壁２ｂに設けた凸部２ｄに係合する凹部６ａ１が設けられていて、注出キャップ６は、打栓によって外層体２に保持される。なお、注出キャップ６は、凸部２ｄ及び凹部６ａ１に替えて、口部周壁２ｂに雄ねじを設け外周壁６ａに雌ねじを設けて、外層体２にねじ込むことで保持するようにしてもよい。
【００２７】
天壁６ｂの下面には、下部溝部４ｂに対応する位置で下方に向けて開放する上部溝部６ｃが設けられている。これにより逆止弁５は、環状壁５ａの下部を下部溝部４ｂに挿入し、環状壁５ａの上部を上部溝部６ｃに挿入して、隔壁４と注出キャップ６との間で位置決め保持される。
【００２８】
また天壁６ｂの上面には、上方に向けて延在する注出筒６ｄが設けられている。また注出筒６ｄの上部には、内容物Ｎの液切れ性を高めるために、外周側に湾曲するリップが設けられている。
【００２９】
注出筒６ｄの径方向内側には、注出筒６ｄの内面に一体連結する平板状の密閉壁６ｅが設けられている。密閉壁６ｅには、図示の例では下方に向けて開放した形態となる環状の破断予定溝６ｆが設けられている。密閉壁６ｅの上面には、破断予定溝６ｆの内側から上方に向けて延在する支柱６ｇが設けられていて、支柱６ｇには環状になるプルリング６ｈが設けられている。
【００３０】
また密閉壁６ｅの下面には、逆止弁５に当接して流出口４ａを閉鎖する押さえ部が設けられている。本実施形態の押さえ部は、弁体５ｃに弾性的に当接する弾性片である。弾性片は、種々の形態（屈曲状、蛇腹状等）を取り得るが、本実施形態では、弁体５ｃに対して突出する向き（上方から下方に向かって弁体５ｃの中心軸Ｍから離れる向き）に湾曲して、その先端部を弁体５ｃに弾性的に当接させる湾曲片６ｉとして設けている。このような形態となる湾曲片６ｉによれば、曲率半径が小さくなる向きに撓みやすいため、その先端部を弁体５ｃに対して弾性的に押し当てることができる。また湾曲片６ｉは、任意の数、及び任意の配置で設けることができるが、本実施形態では図２に示すように合計３つ設けていて、弁体５ｃの中心軸Ｍ（外層体２の中心軸に一致する）から等距離に、かつ中心軸Ｍに対して等しい角度Ａで配置している。なお湾曲片は、上方から下方に向かって弁体５ｃの中心軸Ｍに近づく向きに湾曲するものであってもよい。
【００３１】
符号７は、蓋体を示す。蓋体７は、円板状の頂壁７ａの縁部を取り囲む蓋体周壁７ｂを備えていて、ヒンジ７ｃを介して注出キャップ６に一体連結している。蓋体周壁７ｂには、中心軸Ｍを挟んでヒンジ７ｃに対向する位置に、径方向外側に向けて突出して蓋体７を開閉する際に指を掛ける部位となる指掛け部７ｄが設けられている。また頂壁７ａには、蓋体７を閉めた際に注出筒６ｄの内面に気密に当接する環状のシール壁７ｅが設けられている。なお蓋体は、ヒンジを設けずに注出キャップと分離し、ねじやアンダーカットで注出キャップに装着するようにしてもよい。
【００３２】
このような構成になる注出容器１００は、隔壁４の上面に着座する弁体５ｃに対し、湾曲片６ｉの先端部を弁体５ｃの上面に弾性的に当接させることができるので、流出口４ａは弁体５ｃで閉鎖されたままになる。このため、周囲の温度変化や外層体２への押圧によって収容空間Ｓの内圧が高まっても、内容物Ｎが弁体５ｃと密閉壁６ｅとの相互間に流れ込むことがない。
【００３３】
使用開始に当たっては、プルリング６ｈを引き上げることで、密閉壁６ｅを破断予定溝６ｆに沿って引きちぎることができる。そして、図３に示すように外層体２を傾倒姿勢に変位させて外層体２の胴部を押圧すると、収容空間Ｓの内圧が高まって弁体５ｃが隔壁４から離反し、流出口４ａが開放されて、内容物Ｎを注出させることができる。
【００３４】
注出後、外層体２への押圧を解除することによって収容空間Ｓの内圧は元の状態に戻るため、流出口４ａは再び閉鎖される。このため、保管時において、収容空間Ｓに収容された内容物Ｎと空気との接触を避けることができる。なお、外層体２には上述した外気導入孔が設けられているので、外層体２がそれ自身の可撓性でもって復元する際には、この外気導入孔から内層体３との相互間に外気を導入することができる。これによって内層体３を減容させたまま、外層体２のみが復元する。
【００３５】
次に、本発明に従う注出容器の他の実施形態について、図４、図５を参照しつつ説明する。なお、上述した実施形態と実質的に同一になる部位については、同一の符号を付して説明を省略する。
【００３６】
図４に示す注出容器２００は、注出容器１００の隔壁４に替えて隔壁８を備えている。隔壁８は、その中央部において、収容空間Ｓに向けて中心軸Ｍに沿って伸延する円筒状の筒状部８ａを備えている。筒状部８ａには、収容空間Ｓに向かって縮径する縮径部８ｂが設けられていて、縮径部８ｂの先端には内容物Ｎが流れる流出口８ｃが設けられている。また、筒状部８ａの内面には、中心軸Ｍに沿って伸延する縦リブ８ｄが複数設けられている。縦リブ８ｄの上方には、径方向内側に向かって突出する突起８ｅが設けられている。
【００３７】
隔壁８は、筒状部８ａから径方向外側に向かって上方に傾斜している。隔壁８の上面には、注出キャップ６の上部溝部６ｃに挿入される内側周壁８ｆと、隔壁４の外縁部から上方に向けて延在する外側周壁８ｇが設けられている。また隔壁８の下面に設けられる環状のシール部８ｈは、外層体２との間で内層体３を挟み込んで、これらの間からの内容物Ｎの漏れ出しを阻止している。
【００３８】
筒状部８ａの内側には、本実施形態では球状になる移動弁体９が設けられている。移動弁体９は、外層体２が正立姿勢の状態では縮径部８ｂに着座して、流出口８ｃを閉鎖している。また外層体２を傾倒姿勢に変位させると、筒状部８ａは、縦リブ８ｄに案内されつつ、その自重でもって移動するため、流出口８ｃを開放することができる。
【００３９】
注出キャップ６は、上述した平板状の密閉壁６ｅに替えて、隔壁８に向けて凸状になる密閉壁６ｊを備えている。また密閉壁６ｊの中央部には、押さえ部として、上述した湾曲片６ｉに替えて棒状部６ｋが設けられている。棒状部６ｋは中心軸Ｍに沿って延在していて、縮径部８ｂに着座する移動弁体９に当接している。本実施形態の棒状部６ｋは中実状であるが、中空状のものを用いることも可能である。
【００４０】
このような構成になる注出容器２００は、棒状部６ｋが縮径部８ｂに着座する移動弁体９に当接するので、流出口８ｃは移動弁体９で閉鎖されたままになる。このため、収容空間Ｓの内圧が高まっても、内容物Ｎが密閉壁６ｅに至ることがない。このため、密閉壁６ｅを除去する際の内容物Ｎの飛散を防止することができる。
【００４１】
プルリング６ｈを引き上げて密閉壁６ｊを引きちぎった後は、図５に示すように外層体２を傾倒姿勢に変位させて外層体２の胴部を押圧する。この際、移動弁体９は縮径部８ｂから移動して流出口８ｃは開放されているため、収容空間Ｓの内容物Ｎは、流出口８ｃを通り抜け、隣り合う縦リブ８ｄ間の隙間を通って注出筒６ｄから注出される。なお、注出後は外層体２を正立姿勢に変位させれば、移動弁体９は、その自重でもって再び縮径部８ｂに着座するので流出口８ｃを閉鎖することができる。
【００４２】
本発明に従う注出容器は、これらの実施形態に限定されるものではなく、特許請求の範囲に従う範囲で種々の変更が可能である。例えば、外気導入孔は、外層体の胴部に設けてもよい。また外層体の口部周壁に貫通孔を設けるとともに、注出キャップにこの貫通孔に通じる外気導入孔を設けてもよい。また、容器本体は外層体と内層体とを備える二重容器として説明したが、内層体を省略して外層体内に内容物を直接収容するものであってもよい。更に、上述した湾曲片に替えて、中心軸に沿って直線状に延在する押さえ部を弁体に当接させることも可能である。なお、押さえ部は少なくとも１つ設けてあればよく、弁体の構造に合わせて複数設けてもよい。また移動弁体は柱状であってもよい。
【産業上の利用可能性】
【００４３】
本発明によれば、逆止弁に当接する押さえ部によって流出口を閉鎖することができるので、密閉壁を除去する際の内容物の飛散が確実に防止できる新規の注出容器を提供することができる。
【符号の説明】
【００４４】
１：容器本体
２：外層体
２ａ：肩部
２ｂ：口部周壁
２ｃ：口部開口
２ｄ：凸部
３：内層体
４：隔壁
４ａ：流出口
４ｂ：下部溝部
４ｃ：周壁
４ｄ：外側周壁
５：逆止弁
５ａ：環状壁
５ｂ：連結片
５ｃ：弁体
６：注出キャップ
６ａ：外周壁
６ａ１：凹部
６ｂ：天壁
６ｃ：上部溝部
６ｄ：注出筒
６ｅ：密閉壁
６ｆ：破断予定溝
６ｇ：支柱
６ｈ：プルリング
６ｉ：湾曲片（弾性片、押さえ部）
６ｊ：密閉壁
６ｋ：棒状部（押さえ部）
７：蓋体
７ａ：頂壁
７ｂ：蓋体周壁
７ｃ：ヒンジ
７ｄ：指掛け部
７ｅ：シール壁
８：隔壁
８ａ：筒状部
８ｂ：縮径部
８ｃ：流出口
８ｄ：縦リブ
８ｅ：突起
８ｆ：内側周壁
８ｇ：外側周壁
８ｈ：シール部
９：移動弁体（逆止弁）
１００：注出容器
２００：注出容器
Ａ：角度
Ｍ：中心軸
Ｎ：内容物
Ｓ：収容空間
【図１】
0006576622.tif 000002
【図２】
0006576622.tif 000003
【図３】
0006576622.tif 000004
【図４】
0006576622.tif 000005
【図５】
0006576622.tif 000006